(57)【特許請求の範囲】
【請求項１】
記録／再生ユニット内でカセット（３０、４０）を装填位置と作動位置との間で移動させるための移動装置であって、
前記ユニットは前記カセットと協動して前記カセットを主フレーム（９０）に取付けられた駆動用スプール（９４）に押し付ける圧力手段と駆動用スプール（９４）の中心間距離をカセットのサイズに調整する調整機構を含み；
前記カセットを受け入れるための可動なハウジング（１０）を備えている前記移動装置において、
前記圧力手段は前記調整機構と前記移動装置との間を連結するものであって、
‐前記圧力手段が移動装置と噛み合わないレベルにあるときはこの連結は機能せずに前記調整機構を不活性状態に保ち、また
‐前記圧力手段が作動中の移動装置と噛みあう第２のレベルにあるときは圧力手段が調整手段と連結してそれを作動させる
ことを特徴とする移動装置。」
【発明の詳細な説明】
【０００１】
本発明は、情報の記録担体に情報を記録及び／又は再生するユニットにカセットを確実に装填する装置、特に異なった大きさのカセットを受け入れる装填装置に関する。
【０００２】
【従来技術及びその課題】
かかる装置は、例えば米国特許第５３１４１４１号（＝日本特許第４０４９５６６号、第４０４９５５８号）において明らかにされたような導入用スロットを通してカセットを装填するために開発されてきた。これにおいては、ハウジングはカセットを受け入れ、そして水平方向の、次いで垂直方同の動きを実行する。具合悪いことに、かかる装置は、大型のカセットがハウジング内に確り保持されるときは小型カセットはやっと突き出すだけであるため使用者による取り上げが困難であり、また小型カセットを容易に取り上げ得るときは大型カセットはその大きなオーバーハングのため確り保持できないので、長さにかなりの差があるカセットにはあまり適していないことが明らかにされている。加えて、挿入されたカセットの大きさに適応するようにユニットの要素を作動させる装置は、カセット保持用のハウジングの位置決めが横方向しかできず、いつも便利であるとはいえない。更に、同種類の異なったカセットは大部分同じ厚さを持たねばならない。
【０００３】
かかる欠点に対処するために、カセットがその作動位置に移動するために１回の運動を受けるようにハウジングが設計された。即ち、
−ドイツ出願３３ ２７ ４０３は、カセットを受け入れかつ垂直運動を行うハウジングに取り付けられた機械式感触子を有する装置を開示する。
【０００４】
−英国出願第２１６４１９３号は、カバーに差し込まれ次いで旋回されるカセットの形式を調べる可動の平行四辺形と連結されたレールを具体化した機構を明らかにする。
【０００５】
かかるハウジングは、いずれも挿入カセットの大きさを調べるため及び／又はユニットの構成要素を調整するための重要な行程を要するどちらかと言えば複雑な機構を組み入れ、具合が悪い。従って、これらは成功しなかった。
【０００６】
上述の欠点を克服するために、欧州出願 ０ ３９８３１７に開示されたような各サイズのカセットに対する専用のハウジング、或いは欧州出願 ０ ４１５４１１（＝日本特許第３０９１１４２号）に説明されたような小型カセット用の位置決め及び／又は駆動用手段を組み込んだ単一のハウジングのいずれかを組み込んだいわゆる「引出し機構」を使用した装填装置が提案された。それぞれあまりにも大きな容積を占有するかかる装填システムは比較的複雑であり、従って商業的な成功を得たものはいない。
【０００７】
【課題を解決するための手段】
従って、本発明の主な目的は、異なった大きさのカセットを確実に装填すると同時に駆動用、記録及び／又は再生用の所要素を、挿入されたカセットの大きさに適合させる単純で信頼できかつ小型の手段を提供して上述の諸欠点を総て克服することである。
【０００８】
本発明の更なる目的は、現存の装填システムに既設の手段の問題を、部品数の増加、従って費用の増加を避けて解決することである。
【０００９】
本発明の更なる目的は、今日まで単一寸法のカセット用に設計されたいわゆる「引出し」形式の装填システムに特に適した手段であって、かつその容積にもその全高にも妨害を与えない手段を提案することである。
【００１０】
更なる利点、特徴は、以下非限定的に与えられる最も好ましい実施例の説明より明らかになるであろう。なお、本発明の範囲より離れることなくこれに対する更なる改良、変更が可能である。
【００１１】
【実施例】
明瞭と簡潔の目的で本発明の理解に必要な要素のみが図面に表される。
【００１２】
図１及び２を参照すれば、本装填機構は、形状が最大のカセツトの大きさよりやや大きくかつ挿入される大型カセットの容易かつ正確な受入れを確実に行うために僅かに外向きに傾けられた周囲の壁１３を持っているハウジング１０を組み込んだ移動装置又は引出し1を備える。このハウジング１０は、その前方部分、ユニットの近くに、同様に最小のカセットより僅かに大きくてかつ外向きに僅かに傾いた周囲壁１５を有する凹所１１を備える。更に、情報担体の駆動及び/又は再生、記録用の手段に関して情報担体をその作動位置に設定するようにカセット及びその情報担体と共同作用する総ての要素が通過できるように、ハウジングに開口部が設けられる。この説明される実施例においては、カセットはＤＶＤ（デジタルビデオカセット）方式のミニ（Ｍｉｎｉ）及び標準のものである。ハウジング１０は、その端部に４個のスタッド１２を有し（図２）、これらは引出し1の横壁５、５’の内側部分に形成された傾斜溝２と係合して、カセットの装填運動の際、又はカセットをユニットから排出するためにこれから外すとき、引出し１に関するハウジング１０の垂直方向の運動を確保し、挿入されたカセットをその基準支持部５０、５２上に設定する。いかなるカセットでも使用者が引出しから容易に取り上げて取り出せるように、これには、ハウジング１０の近くに開口部３、３’が設けられる。
【００１３】
引出し１は主フレーム９０に固定された車輪５６により支持され、マイクロモーター及び歯車装置により駆動される。これら両要素はよく知られており、従って図示されない。
【００１４】
いかなるカセット装置又はカートリッジ装置とも同様に、作動時にカセット、カートリッジをその基準支持部５０、５２に押し付けるための圧力手段が設けられ、これが記録/再生用ヘッド及び駆動スプール９４に関するその作動位置を正確に設定する（図８）。
【００１５】
最も好ましい実施例によれば、これら圧力手段は２個のローラー６０、６１より構成され、これらは目由回転し、かつこれらを主フレーム９０の方に引っ張っている弾性手段６２の作用を受ける。各ローラーはＵ字形支持体８０の各横壁８１に形成された１対の溝８２、８３により案内される。レバー１２０が両ローラー６０、６１に連結され、第１のローラーは旋回軸として作用し、第２のローラーは操作体として作用する。支持体８０は、水平板８４の四隅の近くにおかれたスタッドと溝との図示されない公知の装置によりフレーム９０に関して可動である。ここで調整機構は次のように構成されている。１対の軸９１の通路として前記板８４に対照的な溝８６が設けられる（図１）。各軸は、主フレーム９０に設けられたスロット９５により案内され、主フレーム９０に取り付けられた共通軸９６のまわりで旋回する板９２にリベット止めされ（図１０）、そしてカセットリールの駆動用スプール９４を支持している。従って、水平板８４の、例えば引出し１を閉じる方向（図１の矢印Ｆ）の移動は、軸９１上における溝８６とスロット９５との相互作用の結果として２個の板９２の同時回転を起こさせ、大型カセットのリールの位置に対応した実線で示される駆動用スプール９４の中心間距離位置と、小型カセットに対する点線で示された位置との間の変動をもたらす（図１０）。
【００１６】
スプール９４は、電気モーターにより直接駆動してもよいし、或いは一方の位置から他方の位置に動くときでも周囲１０１が常にスプール９４と噛み合っている歯車１００により駆動することもできる。
【００１７】
本発明の実行に当たっては、ローラー６０、６１が引出し１及びハウジング１０と共同作用する。図２に示されるように、２個のローラー６０、６１の周囲は引出し１の横壁５、５’の上縁の上にあり、この横壁の輪郭は水平方向でありかつ開口部１４の付近で傾けられる。この開口部は各壁に置かれ、前記ローラーをハウジング１０内に設定されたカセットのハウジングから離し又はこれと共同作用させる（図２、４、６）。
【００１８】
大型のカセット４０がハウジング１０内にあるとき（図３、４）、引出しを内側に動かすと、両ローラー６０、６１は壁５、５’の輪郭から離れてカセットの上面４１と係合する。
【００１９】
前記面４１の高さ位置はハウジング１０の高さ位置より幾らか高く、どのローラーも前記ハウジングのいかなる要素とも、例えば開口部１４及びその垂直方向の縁１４’とも係合しない（図７）。
【００２０】
そこで、支持体８０は、図４の位置においては不動であり、最も好ましい実施例においては、引出し１に沿って取り付けられた横方向の垂直板として形成された保持具１０８に設けられたスロット１１０とローラー６０との共同作用により前記位置に固定される。このスロット１１０（図９）は、横向きのＴ字形であり、ローラー６０はこの水平の脚１１２の高さ位置にあるときだけ出ることができる。大型カセットの場合（図４）又はカセットが全くない場合は、ローラー６０は垂直の脚１１４ａ及び１１４ｂ内に止められたままである。
【００２１】
行程の終わり近くで、ハウジング１０の前方部分は、主フレーム９０に取り付けられた受け具５５に当たり、引出し１を更に移動させると、スタッド１２と溝２とによりハウジング１０とカセット４０とが下げられる。ローラー６０、６１は、弾性手段６２の作用下で、要求された圧力で基準支持部５０上のカセット４０、駆動用手段９４を押す（図８）。認め得るように、ローラー６０、６１の相対位置（図３）は、情報担体を保護するシャッター４２を開口させると同時にカセット４０のハウジング上の圧力の適切な分布を確保する。
【００２２】
引出しの凹所１１内に小型カセット３０があって引出しが内向きに動くときは（図５、６）、ローラー６１は壁５、５’の輪郭上にあり、一方、ローラー６０はカセット３０のハウジングの上面３１に降りるように動き、スロット１１０の水平の脚１１２内に到着し、従ってローラー６０は保持具１０８から出る。
【００２３】
さて、図７を参照すれば、面３１の高さ位置は開口部１４の高さより低いので、ローラー６０がその垂直方向の縁１４’に当たり、支持体８０の運動と引出し１の運動とをリンクさせる。その結果、支持体８０は矢印Ｆ（図１）の方向に動かされ、両方の軸９１が動かされ、板９２を旋回させる（図５、１０）。引出し１、ハウジング１０及び支持体８０の運動の整合により、ハウジング１０がカセット３０を降ろすように受け具５５と接触したときに、駆動用スプール９４をその適切な位置（図６）に設定する。この位置においては、ローラー６１はカセット３０から離れて留まり、一方、ローラー６０は、弾性手段６２の作用の下で、カセット３０をその基準支持部５０、５２及び駆動用スプール９４に押し付ける（図８）。カセット３０、４０は基準支持部５２上の作動位置で設定されるので装置の効率と信頼性の改善に有利であり、この場合、ハウジング１０の底面と凹所１１とがより離れ、異なったカセットの上面３１、４１間の高さ位置の差が一時的に大きくなる。
【００２４】
ＤＶＣ方式においては、主フレーム９０に取り付けられたターミナル１３０に後端が接触する電子メモリが各カセット３０、４０内に設けられる。しかし、前記ターミナルの弾性のため、カセット３０は作動位置においては常に水平でなくて僅かに傾斜し（図９）、従って再生／記録の品質又は電子メモリとのインターフェースが妨害される可能性がある。
【００２５】
かかる問題を克服するために、レバー１２０（図９、９ａ参照）がローラー６０のまわりで旋回し、一方、ローラー６１は長穴１２２によりこれに作用する。レバーは、その自由端１２４が丸い形にされ、小型カセット３０のハウジングの上面３１と一時的に共同作用をする。従って、ローラー６０が下方に動き、同時にローラー６１が横壁５、５’の上端の上に留まっているときは、レバー１２０は完全に旋回してその端部１２４がカセット３０の後端を下方に押してこれを完全に水平方向に設定する。カセットがその作動位置に達すると（図９Ａ）、ローラー６１は開口部１４の傾斜した縁に沿って僅かに下方に動き、レバー１２０を反時計方向に旋回させ、その端部１２４はカセット３０から離されて置かれ、作動モードにおける不要の圧力を避ける。
【００２６】
作動位置において（図８、９Ａ）、カセットを排出するときは、引出し１が、例えばマイクロモーターへの供給電力の極性の逆転により、反対方向に動かされる。まず、スタッド１２が溝２の中を滑ることにより、ハウジング１０が引出し１に向かって上向きに動かされ、カセット３０、４０は、その基準支持部５０、５２及び駆動手段９４から離される。同時に、ローラー６０、６１が上向きに動かされ（図４、６）、引出し１が更に動かされ、ローラーは横壁５、５’の輪郭の上に乗り、これらローラーはその非作動時の高さ位置に戻される。小型カセット３０が非作動位置にある場合は、例えば、板８４とフレーム９０との間に取り付けられた弾性手段により、或いは引出しに固定された受け具により、支持体８０は図１の位置に戻される。これの移動が完了したとき、引出しはカセット３０、４０をその排出位置（図１）にもたらし、引出し１及びハウジング１０の横の縁にある追加の開口部６、６’及び１６、１６’が使用者による取上げを容易にする。
【００２７】
ローラー６０、６１の代わりに、同じ現存部品を保持しかつ車輪又はフランジによりこれを適切な位置に最終的には適合させるように、１種類の大きさのカセット（例えばＶＨＳユニット）用に設計された引出し形式の装填機構において直ちに予見されるように、ロッド又はバーを容易に使用できる。
【００２８】
摩擦及び／又は騒音を減らすために、ローラー６０、６１に、例えばゴム製のフランジ１４０（図５）を取り付け、カセットの標準により特定された位置に設置することができる。
【００２９】
本設計により、本発明は、装填機構に、従ってユニットに、その当初の高さを保たせ得ること、即ち、大型のカセットに対してそれが占める空間の追加も、またその移動距離の増加もないことにも注意すべきである。
【００３０】
本発明の実施態様を説明すれば次のとおりである。
【００３１】
１．記録／再生ユニット内でカセット（３０、４０）を装填位置と作動位置との間で移動させるための装置において、
前記移動装置に関して可動なハウジング（１０）であって、かつその中に置かれたカセットを、その駆動用手段（９４）、再生／記録用手段上に設定するための手段（６０、６１）と組み合わせられた前記ハウジング、及び
カセット駆動用手段（９４）の中心間距離を前記ハウジング（１０）内に置かれたカセットのサイズに調整する機構（８４）
を備え、
前記手段（６０、６１）は、駆動用手段（９４）を制御している機構（８４）に連結され、そして移動装置及びその中に置かれたカセットと共同作用して、これらがハウジング（１０）と係合して機構（８４）を作動させる作動位置、及びこれらが移動装置により、作動中の前記ハウジング（１０）から離されて留まる非作動位置の間で切り替えられ得る
ことを特徴とする装置。
【００３２】
２．前記手段（６０、６１）は、機構（８４）の要素（８１）により案内されている間、移動装置の横壁（５、５’）及び／又はそのハウジング（１０）の輪郭と共同作用することを特徴とする実施態様１による装置。
【００３３】
３．移動装置及び／又はそのハウジング（１０）は受け部（１４’）を提供している開口部（１４）を備え、その高さは小型のカセットの高さより大きく、このため、前記手段（６０、６１）が小型カセットの面と共同作用しているときは、前記手段（６０、６１）は、移動装置により動かされる前記受け部（１４’）と組み合うことを特徴とする実施態様２による装置。
【００３４】
４．受け部の高さが大型カセットの高さより小さく、このため、大型のカセットがあるときは、前記手段（６０、６１）が前記受け部（１４’）より離れて留まり、移動装置から離れることを特徴とする実施態様３による装置。
【００３５】
５．前記手段（６０、６１）が圧力ローラー／フランジ（１４０）を備えることを特徴とする先行実施態様のいずれかによる装置。
【００３６】
６．前記手段（６０、６１）が、カセット（３０，４０）に、その大きさに拘わらず一様に圧力を分布するように１対の圧力ローラーを備えることを特徴とする先行実施態様のいずれかによる装置。
【００３７】
７．前記手段（６０、６１）が弾性手段（６２）の作用を受けることを特徴とする先行実施態様のいずれかによる装置。
【００３８】
８．前記手段（６０、６１）を非作動位置に固定するためにその一方と組み合う保持具（１０８）を更に備えることを特徴とする先行実施態様のいずれかによる装置。
【００３９】
９．カセット（３０、４０）の厚さの差を大きくさせかつ前記手段（６０、６１）による差別を改善するように、ハウジング（１０）におけるカセット（３０、４０）の高さ位置が異なることを特徴とする先行実施態様のいずれかによる装置。
【００４０】
１０．前記手段（６０、６１）が、駆動用手段上の小型カセット（３０、４０）の水平方向の設定を確実に行うレバー（１２０）を支持しかつ駆動することを特徴とする先行実施態様のいずれかによる装置。
【図面の簡単な説明】
【図１】本発明の装置を組み込んだ装填機構の、カセットが装填されていない排出／非作動位置における平面図である。
【図２】図１に見えている機構の横方向側面図である。
【図３】図１と同様な図であり、機構は、その上の大型カセットをその作動位置に移動した状態である。
【図４】図２と同様な図であり、機構は、図３に示された位置にある。
【図５】図３と同様な図であり、カセットは小型のものである。
【図６】図４と同様な図であり、機構は図５に示された状態にある。
【図７】図６のある要素の詳細図である。
【図８】図４と同様の図であり、カセットはその作動位置にある。
【図９】２種の異なった位置みおいて示された特定要素の詳細図である。
【図１０】２種の作動位置を示している図１から６に見えている組立体の詳細図である。
【符号の説明】
１  引出し
２  傾斜溝
３  開口部
５  横壁
６  開口部
１０  ハウジング
１１  凹所
１２  スタッド
１３  周囲の壁
１４  開口部
１４’垂直の縁
１５  周囲の壁
１６  開口部
３０  小型カセット
３１  ３０の上面
３３  後端
４０  大型カセット
４１  ４０の上面
４２  シャッター
４３  後端
５０  支持部
５５  受け具
５６  車輪
６０  圧力手段
６２  弾性手段
８０  Ｕ字形支持体
８１  横壁
８２  溝の対
８４  水平板
８６  対称的な溝
９０  主フレーム
９１  軸の対
９２  板
９４  駆動用スプール
９５  スロットの対
９６  共通軸
１００  歯車
１０１  歯車の周囲
１０６  保持具
１１０  スロット
１１２  水平の脚
１１４ａ  垂直の脚
１２０  レバー
１２２  長穴
１２４  レバー１２０の自由端
１３０  ターミナル
１４０  フランジ
【図１】
0003882237.tif 000002
【図２】
0003882237.tif 000003
【図３】
0003882237.tif 000004
【図４】
0003882237.tif 000005
【図５】
0003882237.tif 000006
【図６】
0003882237.tif 000007
【図７】
0003882237.tif 000008
【図８】
0003882237.tif 000009
【図９】
0003882237.tif 000010
【図１０】
0003882237.tif 000011